(57)【要約】【課題】簡単な構造で経済性に優れるのみならず、各部品をそれぞれ独立して交換でき、釣果にも優れる一つテンヤ仕掛けを提供する。【解決手段】錐台状又は錐体状に成形された錘(12)には、当該錘(12)の上部側周面を略水平方向に貫通し、入口開孔端(18a)から出口開孔端(18b)に向けて鉛直方向の断面積がテーパー状に漸減すると共にその軸が錘(12)の対称軸と交差するように設けられた楔孔(18)と、この楔孔(18)の下側にて略並行すると共にその軸が錘(12)の対称軸と交差するように当該錘(12)の側周面を水平方向に貫通する遊動孔(20)とが形成される。親鈎本体(14A)の軸(14b)に固定された楔部材(22)を楔孔(18)に嵌合させることによって錘(12)に親鈎(14)が固定される。孫鈎本体(16A)のチモト(16b)に結束されたハリス(24)を遊動孔(20)に遊動自在にて係止されることによって錘(12)に孫鈎(16)が固定される。【選択図】図２
2016149949.tif 000002
【特許請求の範囲】
【請求項１】
錐台状又は錐体状に成形された錘(１２)であって、当該錘(１２)の上部側周面を略水平方向に貫通し、その入口開孔端(１８ａ)から出口開孔端(１８ｂ)に向けて鉛直方向の断面積がテーパー状に漸減すると共にその軸が上記錘(１２)の対称軸と交差するように設けられた楔孔(１８)と、この楔孔(１８)の下側にて略並行すると共にその軸が上記錘(１２)の対称軸と交差するように当該錘(１２)の側周面を水平方向に貫通する遊動孔(２０)とを有する錘(１２)、
親鈎本体(１４Ａ)の軸(１４ｂ)に上記楔孔(１８)と嵌合する楔部材(２２)が固定された親鈎(１４)、および
孫鈎本体(１６Ａ)のチモト(１６ｂ)に結束されたハリス(２４)が上記遊動孔(２０)に遊動自在にて係止される孫鈎(１６)を具備する、
ことを特徴とする一つテンヤ仕掛け。
【請求項２】
請求項１の一つテンヤ仕掛けにおいて、
前記楔孔(１８)の鉛直断面形状とこれに嵌合する前記楔部材(２２)の鉛直断面形状とが同じ多角形状である、ことを特徴とする一つテンヤ仕掛け。
【請求項３】
請求項１の一つテンヤ仕掛けにおいて、
前記錘(１２)の底面(１２ａ)が椀状に曲成されている、ことを特徴とする一つテンヤ仕掛け。
【発明の詳細な説明】
【技術分野】
【０００１】
本発明は、主にエビ餌で鯛などを釣る際に使用する一つテンヤ仕掛けの改良に関し、更に詳しくは、錘、親鈎及び孫鈎をそれぞれ独立して交換可能な一つテンヤ仕掛けの改良に関する。
【背景技術】
【０００２】
スピニングリールと極細ＰＥラインを用いたシャクリ釣りで使用される一つテンヤ仕掛けは、従来、円錐台に成形した錘の上部側面に水平方向に貫通する貫通孔を開け、この貫通孔に親鈎と孫鈎のハリスとを挿入して固定・一体化していた。このため、従来の一つテンヤ仕掛けでは、錘もしくは鈎の何れかが破損した場合に商品ライフが終了するという問題があった。
そこで、かかる問題を解決する先行技術として、例えば、下記の特許文献１には、親針が固定されたホルダとこのホルダに取り付けられる錘とを有し、その錘は上記ホルダに設けられた係止クリップを介して、当該ホルダに対して着脱可能に結合すると共に、そのホルダに設けられた止め環に孫針のハリスの先端が結束される、可動・着脱式一つテンヤ仕掛けが開示されている。
【先行技術文献】
【特許文献】
【０００３】
【特許文献１】特開２０１４−１０８０７２号公報
【発明の概要】
【発明が解決しようとする課題】
【０００４】
しかしながら、上記の先行技術には、次のような問題があった。
すなわち、上記の可動・着脱式一つテンヤ仕掛けでは、係止クリップや止め環などが設けられたホルダが新たに必要となる。このように仕掛けを構成する部品点数が増えることから、仕掛けが複雑になり、一つテンヤ仕掛けを効率的且つ経済的に構成するのが難しくなるという問題があった。
【０００５】
それゆえに、本発明の主たる課題は、仕掛けを構成する部品点数を増やすことなく、簡単な構造で経済性に優れるのみならず、錘、親鈎及び孫鈎をそれぞれ独立して交換でき、しかも釣果にも優れる一つテンヤ仕掛けを提供することである。
【課題を解決するための手段】
【０００６】
上記の課題を達成するため、本発明は、例えば、図１から図５に示すように、一つテンヤ仕掛け１０を次のように構成した。
錐台状又は錐体状に成形された錘１２には、当該錘１２の上部側周面を略水平方向に貫通し、入口開孔端１８ａから出口開孔端１８ｂに向けて鉛直方向の断面積がテーパー状に漸減すると共にその軸が上記錘１２の対称軸と交差するように設けられた楔孔１８と、この楔孔１８の下側にて略並行すると共にその軸が上記錘１２の対称軸と交差するように当該錘１２の側周面を水平方向に貫通する遊動孔２０とが形成される。
親鈎本体１４Ａの軸１４ｂに固定された楔部材２２を上記の楔孔１８に嵌合させることによって、上記の錘１２に親鈎１４が固定される。
孫鈎本体１６Ａのチモト１６ｂに結束されたハリス２４を上記の遊動孔２０に遊動自在にて係止されることによって、上記の錘１２に孫鈎１６が固定される。
【０００７】
本発明は、次の作用効果を奏する。
親鈎１４については「嵌合」、孫鈎１６については「係止」と言ったように、親鈎１４及び孫鈎１６のそれぞれを錘１２に対して着脱可能な状態で別個独立して取り付けているので、錘１２、親鈎１４及び孫鈎１６をそれぞれ個別に交換することができる。その結果、各部材の何れかが破損した場合には、破損した部材のみを交換すれば商品ライフを延長することができる。又、破損がなくとも、釣況に応じて釣果を上げるように仕掛けをカスタマイズ(改造)することも可能となる。
【０００８】
本発明においては、前記の楔孔１８の鉛直断面形状とこれに嵌合する前記の楔部材２２の鉛直断面形状とを同じ多角形状にすることが好ましい。
この場合、錘１２に親鈎１４を固定する際に鈎先を所定の取付位置に簡単に合わせることができると共に、錘１２に取り付けた親鈎が不所望に回転するのを防止することができる。
【０００９】
また、本発明においては、前記の錘１２の底面１２ａを椀状に曲成することが好ましい。
この場合、一つテンヤ仕掛けをボトム(海底)に定位させた際に、潮の流れによって仕掛けが揺らめいて微波動が発生し、鯛などの釣り対象魚のバイトを誘発することができる。
【００１０】
さらに、本発明は、後述する実施形態に記載された特有の構成を付加することが好ましい。
【発明の効果】
【００１１】
本発明によれば、仕掛けを構成する部品点数を増やすことなく、簡単な構造で経済性に優れるのみならず、錘、親鈎及び孫鈎をそれぞれ独立して交換でき、しかも釣果にも優れる一つテンヤ仕掛けを提供することができる。
【図面の簡単な説明】
【００１２】
【図１】この発明の一実施形態の一つテンヤ仕掛けを示す斜視図である。
【図２】図１におけるＡ−Ａ’線部分断面図である。
【図３】この発明の一実施形態の親鈎を示す正面図である。
【図４】図１におけるＣ矢視図であって、親鈎を取り外した状態を示すものである。
【図５】この発明の一つテンヤ仕掛けの使用状態の一例を示す説明図である。
【図６】この発明の一つテンヤ仕掛けの他の実施形態を示す説明図である。
【発明を実施するための形態】
【００１３】
以下、本発明の一実施形態を図１から図５によって説明する。
図１は、本発明にかかる第１実施形態の一つテンヤ仕掛け１０とを示す斜視図であり、図２は、図１におけるＡ−Ａ’線部分断面図である。
これらの図が示すように、本発明の一つテンヤ仕掛け１０は、錘１２、親鈎１４及び孫鈎１６により大略構成される。
【００１４】
錘１２は、例えば、鉛やその合金，タングステンやその合金と言った金属材料やこの金属材料に樹脂を混合した物など、淡水或いは海水よりも高比重な材料を円錐台状に成形した部材である。
この錘１２の上部(より詳しくは、錘の重心よりも上部の)側周面には、略水平方向に貫通し、入口開孔端１８ａから出口開孔端１８ｂに向けて鉛直方向の断面積がテーパー状に漸減すると共にその軸が当該錘１２の円錐軸(対称軸)と交差する楔孔１８が穿設される。この楔孔１８の鉛直断面(＝鉛直方向の断面、すなわち幅方向断面)形状は、図４に示すように、対角線が水平方向及び鉛直方向を向いた正方形状に形成されている。
また、この錘１２における上記の楔孔１８の下側には、この楔孔１８に略並行すると共にその軸が錘１２の円錐軸(対称軸)と交差するように当該錘１２の側周面を水平方向に貫通する鉛直断面形状が円形の遊動孔２０が穿設される。
さらに、図示実施形態では、錘１２の底面１２ａが椀状に曲成されている。
【００１５】
なお、この錘１２は、重さが異なる複数種類のものを予め準備して置くのが好ましい。
【００１６】
親鈎１４は、一つテンヤ仕掛け１０において、エビ餌３４を保持し(図５参照)、メインフックとして機能する釣鈎で、図３に示すように、金属線材を曲げ加工等して鈎状に形成された親鈎本体１４Ａを有する。なお、図示実施形態では、この親鈎本体１４Ａの鈎先から軸１４ｂの途中まで平打ちされている。
この親鈎本体１４Ａの軸１４ｂのうち、平打ちされていないチモト１４ｃ側の部分には、金属材料などからなり、上述した楔孔１８に嵌合する形状の楔部材２２が固定される。この楔部材２２の鉛直断面形状は、上述の楔孔１８と同様に、対角線が水平方向及び鉛直方向を向いた正方形状に形成されており、その鉛直方向の断面積も、親鈎本体１４Ａへの取付状態において、チモト１４ｃ側に向けて漸減するように構成されている。それゆえに、この楔部材２２を楔孔１８に嵌合させることができる。
【００１７】
また、親鈎本体１４Ａのチモト１４ｃ部分には、アラミド繊維などからなるチモト糸２６が固着されており、このチモト糸２６の先端には、スイベル２８が取り付けられている。このスイベル２８は、一つテンヤ仕掛け１０をリールに巻き取られている道糸Ｌ(図５参照)の先端に連結する際に使用するものであるが、楔孔１８の出口開口端１８ｂを通過可能な大きさのものが用いられる。
【００１８】
なお、上述した錘１２と同様に、この親鈎１４も、親鈎本体１４Ａの大きさが異なる複数種類のものを予め準備して置くのが好ましい。
【００１９】
孫鈎１６は、一つテンヤ仕掛け１０において、親鈎１４に保持されたエビ餌３４の頭部などに引っ掛けて使用する(図５参照)、つまりアシストフックとして機能する釣鈎で、金属線材を曲げ加工等して鈎状に形成された孫鈎本体１６Ａを有する。
この孫鈎本体１６Ａのチモト１６ｂには、ハリス２４の先端が結束されている。そして、孫鈎１６を錘１２に取り付ける際には、このハリス２４の後端を、親鈎１４と同じ取付方向にて遊動孔２０に挿通させ、遊動孔２０を通過したハリス２４の後端に、必要に応じてビーズ３０を通した後、所定の位置で結び目３２を形成する。これにより、ハリス２４を含めた孫鈎１６が遊動自在の状態で錘１２に固定される。
【００２０】
なお、この孫鈎１６も、上述した錘１２や親鈎１４と同様に、孫鈎本体１６Ａの大きさが異なる複数種類のものを予め準備して置くのが好ましい。
【００２１】
以上のように構成された一つテンヤ仕掛け１０を使用する際には、先ず始めに、例えば、釣り対象魚の大きさやポイントの水深などと言った釣況に応じて、使用する錘１２の重さや、親鈎１４及び孫鈎１６の大きさを選択する。
続いて、選択した錘１２の楔孔１８の入口開口端１８ａから、親鈎１４のチモト１４ｃ側（より具体的にはスイベル２８やチモト糸２６）を挿入して行き、図２に示すように、楔孔１８に親鈎１４の楔部材２２が嵌合するまで押し込む。これにより、錘１２への親鈎１４の取付が完了する。
続く孫鈎１６の取付方法については、上述した通りである。
【００２２】
実釣の際には、図示しないが、主としてスピニングリールなどから引き出された極細ＰＥなどの道糸Ｌをロッドのガイドに順次通していった後、その道糸Ｌの先端(道糸にリーダーなどを取付けた際にはそのリーダーの先端)をスイベル２８の開いている側の環に結束して両者を連結する。
そして、図５に示すように、エビ餌３４を尻側から親鈎１４に取り付けると共に、親鈎に取り付けたエビ餌３４の頭部に孫鈎１６の孫鈎本体１６Ａを引っ掛けて仕掛けが完成する。後は、この仕掛けを所定のポイントに投入してシャクリ釣りを行なえばよい。
【００２３】
本実施形態の一つテンヤ仕掛け１０によれば、孫鈎１６のハリス２４が錘１２の遊動孔２０に対して遊動自在に取り付けられているので、エビ餌３４に孫鈎本体１６Ａを引っ掛けた際に、エビ餌３４の大きさにかかわらず、錘１２からエビ餌３４側に存在するハリス２４の量を極小化することができる。このため、エビ餌３４を咥えた魚に対してハリス２４が与える違和感を最小にすることができ、これを釣果に結び付けることができると考えられる。
【００２４】
なお、上述の実施形態では、楔孔１８の鉛直断面形状を、対角線が水平方向及び鉛直方向を向いた正方形状に形成する場合を示したが、この楔孔１８の鉛直断面形状は、錘１２に対する親鈎１４の取付方向を簡単に案内できると共に、親鈎１４の楔部材２２が嵌合した際には、親鈎本体１４Ａが回転しないように強固に保持する形状であればよく、上記の形状に限定されるものではない。したがって、図６のＦｉｇ．６(ａ)で示すように、楔孔１８の鉛直断面形状を正方形の各辺が水平方向もしくは鉛直方向を向くように配置してもよいし、図示しないが正方形以外の多角形、例えば三角形や五角形などにしてもよい。また、上記のような多角形に限られず、図６のＦｉｇ．６(ｂ)で示すように、円形の孔の上部にキー溝１８ｃを結合させたような形状であってもよい。
【００２５】
また、上述の実施形態では、錘１２の底面１２ａが椀状に曲成されている場合を示したが、かかる形状が不要な場合には、従来の一つテンヤ仕掛けと同様に、錘１２の底面１２ａをフラットな形状にすることもできる。
【００２６】
さらに、上述の実施形態では、錘１２として円錐台状に成形したものを用いる場合を示したが、この錘１２の全体形状は、かかる円錐台状に限定されるものではなく、例えば三角錐台や四角錐台と言った角錐台状のものであってもよい。また、そのような錐台状のみならず、円錐や四角錐のような錐体状などであってもよい。
【符号の説明】
【００２７】
１０：一つテンヤ仕掛け，１２：錘，１２ａ：(錘の)底面，１４：親鈎，１４Ａ：親鈎本体，１４ｂ：軸，１６：孫鈎，１６Ａ：孫鈎本体，１６ｂ：チモト，１８：楔孔，１８ａ：入口開孔端，１８ｂ：出口開孔端，２０：遊動孔，２２：楔部材，２４：ハリス．
【図１】
2016149949.tif 000003
【図２】
2016149949.tif 000004
【図３】
2016149949.tif 000005
【図４】
2016149949.tif 000006
【図５】
2016149949.tif 000007
【図６】
2016149949.tif 000008